(57)【要約】【課題】老眼の電気工事担当者が装着するヘルメットにおいて、老眼鏡を装用しなくても近くの物を明瞭に見ることができるようにする。【解決手段】帽体２にフェイスシールド５が昇降自在に取り付けられ、物体の拡大された虚像を見る拡大鏡部８がフェイスシールド５の一部に設けられている。この拡大鏡部８は、フェイスシールド５の内側にフレネルレンズシート７が貼着されることによって構成されている。これにより、通常は、頭部にヘルメット１を被り、フェイスシールド５を帽体２に収納したままで使用する（選択図（ａ）参照）。この状態で、フェイスシールド５を最下位まで引き下ろせば（選択図（ｂ）参照）、フェイスシールド５本来の機能（主に両目の保護）を使える。また、フェイスシールド５を少し引き下ろせば（選択図（ｃ）参照）、フレネルレンズシート７の拡大機能を使える。【選択図】図１
2017025426.tif 000002
【特許請求の範囲】
【請求項１】
帽体にフェイスシールドが装着者の顔を覆いうるように設けられたヘルメットであって、
物体の拡大された虚像を見る拡大鏡部が前記フェイスシールドの一部に設けられていることを特徴とするヘルメット。
【請求項２】
前記フェイスシールドが前記帽体に対して昇降自在に取り付けられ、
前記フェイスシールドが最下位を除く所定の拡大基準位置に位置決めされたときに、当該フェイスシールドの前記拡大鏡部を通して前記物体を視認できるように構成されていることを特徴とする請求項１に記載のヘルメット。
【請求項３】
前記フェイスシールドの一部にフレネルレンズシートが取り付けられることによって前記拡大鏡部が構成されていることを特徴とする請求項１または２に記載のヘルメット。
【請求項４】
前記フレネルレンズシートが前記フェイスシールドの内側に貼着されていることを特徴とする請求項３に記載のヘルメット。
【請求項５】
請求項３または４に記載のヘルメットの製造方法であって、
同心円状の複数の輪帯レンズを持つフレネルレンズの材料シートを所定の形状に切り出して前記フレネルレンズシートを作製するフレネルレンズシート作製工程と、
このフレネルレンズシート作製工程で作製されたフレネルレンズシートを両面テープの一方の粘着面に貼り付けるフレネルレンズシート貼付工程と、
前記両面テープの他方の粘着面を前記フェイスシールドに貼り付ける両面テープ貼付工程と
を含むことを特徴とするヘルメットの製造方法。
【請求項６】
前記フレネルレンズシート貼付工程において、前記フレネルレンズシートを前記両面テープの一方の粘着面に貼り付けるときに、当該フレネルレンズシートの未貼付部を前記両面テープに対して約９０°に起こした状態を維持しつつ、当該フレネルレンズシートをその一端部から他端部まで連続的に当該両面テープに貼り付けることを特徴とする請求項５に記載のヘルメットの製造方法。
【請求項７】
前記フレネルレンズシート貼付工程において、前記フレネルレンズシートと前記両面テープとの間に生じた気泡を押圧装置で外部へ押し出すことにより、当該フレネルレンズシートの全面が当該両面テープに貼付された状態にすることを特徴とする請求項５または６に記載のヘルメットの製造方法。
【請求項８】
前記フレネルレンズシート作製工程において、前記フレネルレンズシートを２枚作製する場合に、前記材料シートをその輪帯レンズの中心を通る切断線に沿って切り出すことにより、これら２枚のフレネルレンズシートがいずれも前記材料シートの輪帯レンズの中心を含むようにすることを特徴とする請求項５乃至７のいずれかに記載のヘルメットの製造方法。
【発明の詳細な説明】
【技術分野】
【０００１】
本発明は、例えば、老眼（老視）の電気工事担当者が装着するのに好適なヘルメットおよびその製造方法に関するものである。
【背景技術】
【０００２】
従来、この種のヘルメットとしては、その装着者の頭部と顔を保護すると同時に作業中の視界をも確保するため、装着者の顔を覆いうる透明なフェイスシールドが帽体（シェル）に昇降自在に取り付けられたものが広く用いられている（例えば、特許文献１参照）。
【先行技術文献】
【特許文献】
【０００３】
【特許文献１】特開２００９−２０３５６９号公報
【発明の概要】
【発明が解決しようとする課題】
【０００４】
しかしながら、ヘルメットの装着者が老眼である場合、近くの物（例えば、手元にある電気配線図などの資料）を明瞭に見るときには、老眼鏡をかける必要があるところ、作業中は作業用の手袋をはめていることが多く、わざわざ老眼鏡を取り出して装用するのが面倒という実情があった。
【０００５】
このことは、電気工事用以外の作業用ヘルメットや乗車用ヘルメットなどについても同様である。
【０００６】
本発明は、このような事情に鑑み、老眼鏡を装用しなくても近くの物を明瞭に見ることが可能なヘルメットを提供することを第１の目的とする。また、このようなヘルメットを簡単に製造することができる製造方法を提供することを第２の目的とする。
【課題を解決するための手段】
【０００７】
かかる目的を達成するため、請求項１に記載の発明は、帽体にフェイスシールドが装着者の顔を覆いうるように設けられたヘルメットであって、物体の拡大された虚像を見る拡大鏡部が前記フェイスシールドの一部に設けられているヘルメットとしたことを特徴とする。
【０００８】
また、請求項２に記載の発明は、請求項１に記載の構成に加え、前記フェイスシールドが前記帽体に対して昇降自在に取り付けられ、前記フェイスシールドが最下位を除く所定の拡大基準位置に位置決めされたときに、当該フェイスシールドの前記拡大鏡部を通して前記物体を視認できるように構成されていることを特徴とする。
【０００９】
また、請求項３に記載の発明は、請求項１または２に記載の構成に加え、前記フェイスシールドの一部にフレネルレンズシートが取り付けられることによって前記拡大鏡部が構成されていることを特徴とする。
【００１０】
また、請求項４に記載の発明は、請求項３に記載の構成に加え、前記フレネルレンズシートが前記フェイスシールドの内側に貼着されていることを特徴とする。
【００１１】
さらに、請求項５に記載の発明は、請求項３または４に記載のヘルメットの製造方法であって、同心円状の複数の輪帯レンズを持つフレネルレンズの材料シートを所定の形状に切り出して前記フレネルレンズシートを作製するフレネルレンズシート作製工程と、このフレネルレンズシート作製工程で作製されたフレネルレンズシートを両面テープの一方の粘着面に貼り付けるフレネルレンズシート貼付工程と、前記両面テープの他方の粘着面を前記フェイスシールドに貼り付ける両面テープ貼付工程とを含むヘルメットの製造方法としたことを特徴とする。
【００１２】
また、請求項６に記載の発明は、請求項５に記載の構成に加え、前記フレネルレンズシート貼付工程において、前記フレネルレンズシートを前記両面テープの一方の粘着面に貼り付けるときに、当該フレネルレンズシートの未貼付部を前記両面テープに対して約９０°に起こした状態を維持しつつ、当該フレネルレンズシートをその一端部から他端部まで連続的に当該両面テープに貼り付けることを特徴とする。
【００１３】
また、請求項７に記載の発明は、請求項５または６に記載の構成に加え、前記フレネルレンズシート貼付工程において、前記フレネルレンズシートと前記両面テープとの間に生じた気泡を押圧装置で外部へ押し出すことにより、当該フレネルレンズシートの全面が当該両面テープに貼付された状態にすることを特徴とする。
【００１４】
また、請求項８に記載の発明は、請求項５乃至７のいずれかに記載の構成に加え、前記フレネルレンズシート作製工程において、前記フレネルレンズシートを２枚作製する場合に、前記材料シートをその輪帯レンズの中心を通る切断線に沿って切り出すことにより、これら２枚のフレネルレンズシートがいずれも前記材料シートの輪帯レンズの中心を含むようにすることを特徴とする。
【発明の効果】
【００１５】
請求項１に記載の発明によれば、物体の拡大された虚像を見る拡大鏡部がフェイスシールドの一部に設けられているので、この拡大鏡部を通して物体を視認することにより、老眼鏡を装用しなくても近くの物を明瞭に見ることが可能となる。
【００１６】
また、請求項２に記載の発明によれば、フェイスシールドが帽体に対して昇降自在に取り付けられ、フェイスシールドが最下位を除く所定の拡大基準位置に位置決めされたときに、フェイスシールドの拡大鏡部を通して物体を視認できるように構成されているので、フェイスシールドを最下位まで引き下ろせば、フェイスシールド本来の機能（主に両目の保護）を使えるとともに、フェイスシールドを少し引き下ろせば、拡大鏡部の拡大機能を使えるようになる。その結果、上述した効果を奏するヘルメットの使い勝手を良好なものとすることが可能となる。
【００１７】
また、請求項３に記載の発明によれば、フェイスシールドの一部にフレネルレンズシートが取り付けられることによって拡大鏡部が構成されているので、上述した効果を奏するヘルメットの構造を簡単なものとすることができる。
【００１８】
また、請求項４に記載の発明によれば、フレネルレンズシートがフェイスシールドの内側に貼着されているので、フレネルレンズシートが汚れづらくなり、フレネルレンズシートの拡大機能を長期にわたって維持することが可能となる。
【００１９】
さらに、請求項５に記載の発明によれば、同心円状の複数の輪帯レンズを持つフレネルレンズの材料シートを所定の形状に切り出してフレネルレンズシートを作製するフレネルレンズシート作製工程と、このフレネルレンズシート作製工程で作製されたフレネルレンズシートを両面テープの一方の粘着面に貼り付けるフレネルレンズシート貼付工程と、両面テープの他方の粘着面をフェイスシールドに貼り付ける両面テープ貼付工程とを含むので、上述した効果を奏するヘルメットを簡単に製造することができる。
【００２０】
また、請求項６に記載の発明によれば、フレネルレンズシート貼付工程において、フレネルレンズシートを両面テープの一方の粘着面に貼り付けるときに、当該フレネルレンズシートの未貼付部を両面テープに対して約９０°に起こした状態を維持しつつ、当該フレネルレンズシートをその一端部から他端部まで連続的に当該両面テープに貼り付けるので、フレネルレンズシートと両面テープとの間に気泡が生じない状態で両者を容易に貼り合わせることができる。
【００２１】
また、請求項７に記載の発明によれば、フレネルレンズシート貼付工程において、フレネルレンズシートと両面テープとの間に生じた気泡を押圧装置で外部へ押し出すことにより、当該フレネルレンズシートの全面が当該両面テープに貼付された状態にするので、両面テープ貼付工程において、両面テープの他方の粘着面をフェイスシールドに確実に貼り付けることができる。
【００２２】
また、請求項８に記載の発明によれば、フレネルレンズシート作製工程において、フレネルレンズシートを２枚作製する場合に、材料シートをその輪帯レンズの中心を通る切断線に沿って切り出すことにより、これら２枚のフレネルレンズシートがいずれも材料シートの輪帯レンズの中心を含むようにするので、フレネルレンズシートの性能を維持しつつ、フレネルレンズシートの歩留まりを高めることができ、ひいてはヘルメットの製造コストを安価に抑えることが可能となる。
【図面の簡単な説明】
【００２３】
【図１】本発明の実施の形態１に係るヘルメットの装着状態を示す図であって、（ａ）はフェイスシールドが帽体に収納された状態を示す斜視図、（ｂ）はフェイスシールドが最下位に位置決めされた状態を示す斜視図、（ｃ）はフェイスシールドが拡大基準位置に位置決めされた状態を示す正面図である。
【図２】同実施の形態１に係るヘルメットのフェイスシールドの縦断面図である。
【図３】同実施の形態１に係るヘルメットの製造方法に使用するフレネルレンズシート貼付装置を示す概略図であって、（ａ）はその平面図、（ｂ）はその正面図である。
【図４】同実施の形態１に係るヘルメットの製造方法におけるフレネルレンズシート作製工程を例示する模式図である。
【図５】同実施の形態１に係るヘルメットの製造方法におけるフレネルレンズシート貼付工程を例示する模式図である。
【図６】同実施の形態１に係るヘルメットの製造方法における両面テープ貼付工程を例示する模式図である。
【発明を実施するための形態】
【００２４】
以下、本発明の実施の形態について説明する。
【００２５】
［発明の実施の形態１］
図１乃至図６には、本発明の実施の形態１を示す。
【００２６】
この実施の形態１に係るヘルメット１は電気工事用のものであり、図１に示すように、ＡＢＳ樹脂、高密度ポリエチレン（ＨＤＰＥ）等の合成樹脂からなる帽体２を有している。帽体２の前側には、ポリカーボネート、ポリエチレン等の合成樹脂からなる庇部３が前方へ突出するように取り付けられているとともに、ポリカーボネート、ポリエチレン等の合成樹脂からなる無色透明なフェイスシールド５が、ヘルメット１の装着者の顔を覆いうるように、帽体２の前部の内側に収納されるとともに、任意の位置（高さ）で固定できる形で昇降自在に取り付けられている。また、帽体２の下部には、ヘルメット１をその装着者の頭部に固定するための顎紐６が取り付けられている。
【００２７】
そして、フェイスシールド５の内側には、物体の拡大された虚像を見る拡大鏡部８を構成すべく、図１（ｂ）、（ｃ）および図２に示すように、その下端部の近傍に弓形の長方形のフレネルレンズシート７が無色透明な両面テープ９を介して貼着されている。なお、この両面テープ９としては、透明度が高くて剥がれにくいという特性を備えていれば、どのような種類のものでも利用可能である。
【００２８】
また、このヘルメット１の製造方法に使用するフレネルレンズシート貼付装置１５は、図３に示すように、複数のアングルを組み立てて構成されたフレーム１６を有している。フレーム１６には、支持台１１が水平に固定されており、この支持台１１は、機体１１ａの上面に平板状のゴムシート１１ｂが敷設された構造を備えている。また、フレーム１６には、ガイドレール１７が水平方向に延伸するように取り付けられている。ガイドレール１７にはレンズ誘導治具１３が、支持台１１の上方で水平方向（矢印Ａ、Ｂ方向に）に移動自在に支持されており、このレンズ誘導治具１３は、主に、垂直に立設された平板状の背板１３ａと、この背板１３ａの側方（図３右方）に所定幅のスリット１３ｂを形成するように取り付けられたＬ形断面板状のガイド部材１３ｃとから構成されている。さらに、フレーム１６には両面テープ支持軸１９が、ガイドレール１７の後方でガイドレール１７と平行に配置されており、両面テープ支持軸１９にはテープ巻回ロール２０が回転自在に支持されている。このテープ巻回ロール２０は、片側が剥離紙（台紙）で保護された両面テープ９をその剥離紙側が外側になるように円筒状（ロール状）に巻回したものである。
【００２９】
次に、図４〜図６に基づき、このヘルメット１の製造方法の一例について説明する。
【００３０】
まず、フレネルレンズシート作製工程で、図４（ａ）に示すように、同心円状の複数の輪帯レンズ１０ａを持つ正方形のフレネルレンズの材料シート１０を用意し、型抜き等により、図４（ｂ）に示すように、この材料シート１０を弓形の長方形に切り出して２枚のフレネルレンズシート７を作製する。
【００３１】
このとき、図４（ｂ）に示すように、フレネルレンズシートを２枚作製する場合に、材料シート１０をその輪帯レンズ１０ａの中心ＣＴ１を通る曲線状の切断線Ｌ１に沿って切り出すことにより、２枚のフレネルレンズシート７がいずれも材料シート１０の輪帯レンズ１０ａの中心ＣＴ１を含むようにする。
【００３２】
次いで、フレネルレンズシート貼付工程に移行し、こうして作製されたフレネルレンズシート７をフレネルレンズシート貼付装置１５によって両面テープ９の一方の粘着面９ａ（剥離紙で保護されていない側の粘着面）に貼り付ける。
【００３３】
それには、まず、図３に二点鎖線で示すように、テープ巻回ロール２０から両面テープ９を引き出して必要な長さで切断し、この両面テープ９を支持台１１のゴムシート１１ｂの上側に載置する。このとき、両面テープ９の一方の粘着面９ａを上側に向ける。
【００３４】
この状態で、図５（ａ）に示すように、レンズ誘導治具１３のスリット１３ｂにその上側からフレネルレンズシート７を差し込み、フレネルレンズシート７の先端部を両面テープ９の一方の粘着面９ａに貼り付ける。その後、図５（ｂ）〜（ｅ）に示すように、このフレネルレンズシート７の上側でハンドローラー１２を転動させて、フレネルレンズシート７をその一端部から他端部まで連続的に両面テープ９の一方の粘着面９ａに貼り付けていく。
【００３５】
すると、ハンドローラー１２は、フレネルレンズシート７を下方、つまり両面テープ９側へ押圧しつつ前進すると同時に、レンズ誘導治具１３を前方（矢印Ａ方向）へ押して移動させるため、フレネルレンズシート７は、ハンドローラー１２とレンズ誘導治具１３との協働により、未貼付部７ａがレンズ誘導治具１３の背板１３ａに押し当てられて、ほぼ垂直な状態（つまり、両面テープ９に対して約９０°に起きた状態）を維持しつつ、両面テープ９の一方の粘着面９ａに貼り付けられていく。
【００３６】
このとき、両面テープ９の下面は支持台１１のゴムシート１１ｂに接触しており、両面テープ９とゴムシート１１ｂとの間に大きい摩擦力が発生するため、ハンドローラー１２を転動させても両面テープ９が前方へずれる恐れはなく、フレネルレンズシート７の貼付作業を円滑に進めることができる。
【００３７】
なお、フレネルレンズシート７を両面テープ９に貼り付けていく途中、或いは、フレネルレンズシート７を両面テープ９に貼り付けた後で、フレネルレンズシート７と両面テープ９との間に気泡が生じた場合には、その気泡をハンドローラー１２で外部へ押し出すことにより、フレネルレンズシート７の全面が両面テープ９に貼付された状態にする。
【００３８】
こうして、フレネルレンズシート７が両面テープ９の一方の粘着面９ａに貼り付けられたところで、両面テープ貼付工程に移行し、図６に示すように、両面テープ９の剥離紙を剥がして他方の粘着面９ｂを露出させた後、この粘着面９ｂをフェイスシールド５の内側に貼り付ける。すると、図２に示すように、フェイスシールド５の内側に両面テープ９を介してフレネルレンズシート７が取り付けられた状態となり、ヘルメット１が完成する。
【００３９】
ここで、ヘルメット１の製造工程が終了する。
【００４０】
このヘルメット１の製造方法では、フレネルレンズの材料シート１０を切り出してフレネルレンズシート７を作製するフレネルレンズシート作製工程と、このフレネルレンズシート７を両面テープ９の一方の粘着面９ａに貼り付けるフレネルレンズシート貼付工程と、両面テープ９の他方の粘着面９ｂをフェイスシールド５に貼り付ける両面テープ貼付工程とを経て、ヘルメット１が完成するので、ヘルメット１を簡単に製造することができる。
【００４１】
このとき、フレネルレンズシート作製工程においては、フレネルレンズシート７を２枚作製する場合に、材料シート１０をその輪帯レンズ１０ａの中心ＣＴ１を通る切断線Ｌ１に沿って切り出すことにより、これら２枚のフレネルレンズシート７がいずれも材料シート１０の輪帯レンズ１０ａの中心ＣＴ１を含むようにするので、フレネルレンズシート７の性能を維持しつつ、フレネルレンズシート７の歩留まりを高めることができ、ひいてはヘルメット１の製造コストを安価に抑えることが可能となる。
【００４２】
また、フレネルレンズシート貼付工程においては、フレネルレンズシート７を両面テープ９の一方の粘着面９ａに貼り付けるときに、フレネルレンズシート７の未貼付部７ａを両面テープ８に対して約９０°に起こした状態を維持しつつ、フレネルレンズシート７をその一端部から他端部まで連続的に両面テープ９に貼り付けるので、フレネルレンズシート７と両面テープ９との間に気泡が生じない状態で両者を容易に貼り合わせることができる。
【００４３】
さらに、このフレネルレンズシート貼付工程においては、フレネルレンズシート７と両面テープ９との間に生じた気泡をハンドローラー１２で外部へ押し出すことにより、フレネルレンズシート７の全面が両面テープ９に貼付された状態にするので、両面テープ貼付工程において、両面テープ９の他方の粘着面９ｂをフェイスシールド５に確実に貼り付けることができる。
【００４４】
次に、このヘルメット１の使用方法について説明する。
【００４５】
まず、ヘルメット１で装着者の頭部のみを保護するときには、フェイスシールド５が帽体２に収納されるとともに、顎紐６が緩んでいる状態で、図１（ａ）に示すように、帽体２の庇部３を前にして頭部にヘルメット１を被り、顎紐６を締めてヘルメット１を頭部に固定する。すると、頭部が帽体２で保護されるとともに、顔の前方にはフェイスシールド５がないため、電気工事を安全かつ円滑に行うことができる。
【００４６】
また、ヘルメット１で装着者の頭部と顔の両方を保護するときには、頭部にヘルメット１を被った状態で、図１（ｂ）に示すように、フェイスシールド５を最後まで引き下ろして最下位に位置決めする。すると、頭部が帽体２で保護されるとともに、顔（とりわけ両目）がフェイスシールド５で保護される。このとき、フェイスシールド５は無色透明であるため、作業中の視界を確保することができることから、フェイスシールド５が最下位に位置決めされた状態でも電気工事を支障なく行うことができる。
【００４７】
さらに、老眼の装着者が近くの物（例えば、手元にある電気配線図などの資料）を見るときには、頭部にヘルメット１を被った状態で、図１（ｃ）に示すように、フェイスシールド５を少し引き下ろして所定の拡大基準位置に位置決めする。すると、頭部が帽体２で保護されるとともに、フェイスシールド５のフレネルレンズシート７を通して物体を視認できるため、わざわざ老眼鏡を取り出して装用しなくても近くの物を明瞭に見ることが可能となる。しかも、フレネルレンズシート７の全面に両面テープ９が取り付けられているため、フレネルレンズシート７とフェイスシールド５との間に塵埃が入り込むことはなく、クリアな視界を維持することができる。
【００４８】
このように、このヘルメット１では、フェイスシールド５を最下位まで引き下ろせば、フェイスシールド５本来の機能（主に両目の保護）を使えるとともに、フェイスシールド５を少し引き下ろせば、フレネルレンズシート７の拡大機能を使えるようになる。その結果、老眼であっても近くの物を明瞭に見ることができるとともに、このヘルメット１の使い勝手を良好なものとすることが可能となる。
【００４９】
また、このヘルメット１では、フェイスシールド５の一部にフレネルレンズシート７が取り付けられることによって拡大鏡部８が構成されているので、このヘルメット１の構造を簡単なものとすることができる。
【００５０】
しかも、このヘルメット１では、フレネルレンズシート７がフェイスシールド５の内側に貼着されているので、ヘルメット１を長期にわたって使用しても、フレネルレンズシート７が汚れづらくなり、フレネルレンズシート７の拡大機能を維持することが可能となる。
【００５１】
［発明のその他の実施の形態］
なお、上述した実施の形態１では、ヘルメット１の製造方法のフレネルレンズシート貼付工程において、テープ巻回ロール２０から両面テープ９を引き出して切断した後、この両面テープ９にフレネルレンズシート７を貼り付ける場合について説明した。しかし、両面テープ９を切断することなく複数のフレネルレンズシート７を順次貼り付けるようにしても構わない。
【００５２】
また、上述した実施の形態１では、老眼の装着者が近くの物を見るときに、フレネルレンズシート７とフェイスシールド５との間に塵埃が入り込んで装着者の視界がクリアでなくなる事態の発生を避けるべく、フレネルレンズシート７の全面に両面テープ９が取り付けられたヘルメット１について説明した。しかし、塵埃の少ない作業環境では、そうした事態が生じにくいため、フレネルレンズシート７の両端部のみに両面テープ９を取り付けてもよい。
【００５３】
また、上述した実施の形態１では、両面テープ９を用いてフレネルレンズシート７をフェイスシールド５に取り付ける場合について説明したが、両面テープ９以外の取付手法を代用または併用することもできる。例えば、フェイスシールド５の内面に左右一対の係止部材（図示せず）を付設し、これらの係止部材にフレネルレンズシート７の両端部を係止させることにより、フレネルレンズシート７の弾性力を利用して、このフレネルレンズシート７をフェイスシールド５の内面に密着させて取り付けることも考えられる。
【００５４】
さらに、上述した実施の形態１では、フェイスシールド５の一部に拡大鏡部８を設けるべく、このフェイスシールド５にフレネルレンズシート７を取り付ける場合について説明した。しかし、フェイスシールド５自体にフレネルレンズの加工を施して拡大鏡部８を設けても構わない。
【００５５】
また、上述した実施の形態１では、ヘルメット１の製造方法のフレネルレンズシート貼付工程において、フレネルレンズシート７を両面テープ９の一方の粘着面９ａに貼り付けるときにハンドローラー１２を用いる場合について説明した。しかし、フレネルレンズシート７を両面テープ９に押圧することができるものである限り、ハンドローラー１２以外の押圧装置を代用または併用することもできる。
【００５６】
また、上述した実施の形態１では、ヘルメット１の製造方法のフレネルレンズシート作製工程において、フレネルレンズシート７の性能を維持しつつ、フレネルレンズシート７の歩留まりを高めるべく、フレネルレンズの材料シート１０から２枚のフレネルレンズシート７を作製する場合に、これら２枚のフレネルレンズシート７がいずれも材料シート１０の輪帯レンズ１０ａの中心ＣＴ１を含むようにする場合について説明した。しかし、フレネルレンズシート７の性能をさらに高める必要がある場合には、材料シート１０の輪帯レンズ１０ａの中心ＣＴ１がフレネルレンズシート７の中心にほぼ一致するようにフレネルレンズの材料シート１０から１枚のフレネルレンズシート７を作製してもよい。逆に、フレネルレンズシート７の性能をあまり高める必要がない場合には、フレネルレンズシート７の歩留まり（ヘルメット１の製造コスト）を重視して、フレネルレンズの材料シート１０から３枚以上のフレネルレンズシート７を作製しても構わない。
【００５７】
また、上述した実施の形態１では、上述した実施の形態１では、作業中の蒸れを軽減するためのベンチレーションシステムを備えていないヘルメット１について説明したが、こうしたベンチレーションシステムを備えたヘルメットにも本発明を同様に適用できることは言及するまでもない。
【００５８】
さらに、上述した実施の形態１では、電気工事用のヘルメット１について説明したが、電気工事用以外の用途に用いるヘルメットに本発明を同様に適用することも可能である。
【産業上の利用可能性】
【００５９】
本発明は、電気工事用、建築・土木工事用、消防用、警備用、港湾荷役作業用、造林作業用その他の作業用ヘルメットのほか、防災用、スポーツ用、乗車用など各種の用途のヘルメットに幅広く適用することが可能である。
【符号の説明】
【００６０】
１……ヘルメット
２……帽体
５……フェイスシールド
７……フレネルレンズシート
７ａ……未貼付部
８……拡大鏡部
９……両面テープ
９ａ……一方の粘着面
９ｂ……他方の粘着面
１０……フレネルレンズの材料シート
１０ａ……輪帯レンズ
１２……押圧装置（ハンドローラー）
１３ｃ……ガイド部材
ＣＴ１……輪帯レンズの中心
Ｌ１……切断線
【図１】
2017025426.tif 000003
【図２】
2017025426.tif 000004
【図３】
2017025426.tif 000005
【図４】
2017025426.tif 000006
【図５】
2017025426.tif 000007
【図６】
2017025426.tif 000008